(57)【要約】【課題】扉体の開閉時、或いは左右方向の調整時に大きな荷重を受けても当該荷重に対し十分な支持力を持たせることが可能な構造のものとする。【解決手段】固定部材２に対する扉体４の左右方向の調整による移動に際しては、調整ボルト１１の進退に伴って取付プレート１０が、連結部材１３の位置を支点として図中の矢印方向に移動するが、この移動のときに受ける取付プレート１０の荷重を、連結部材１３で支持する構造としているので、十分な支持力を持たせることが可能となる。しかも、この連結部材１３を、調整プレート９の薄板状部９ａの両側縁寄りで、且つ、その折曲部９ｂの張出部の直下に位置するところにそれぞれ設けられた挿通孔９ｅ及びこれら挿通孔９ｅに対応して折曲部９ｂの張出部にそれぞれ設けられた挿通孔９ｂ２に取り付ける構造としているので、当該連結部材１３に対する支持強度を向上させることができる。【選択図】図３
2008157023.tif 000002
【特許請求の範囲】
【請求項１】
固定部材又は扉体のいずれか一方に配設される係合部材がケース体と調整プレートと取付本体とで構成され、前記調整プレートに対し取付プレートが当該取付プレートに係止される調整ボルトの、連結部材の軸心方向と同一方向への進退によって前記調整プレートに取り付けられる前記連結部材の軸心方向の中間部を支点として前記調整ボルトの進退方向と逆方向に調整移動可能で、調整時に及び調整後には固定ボルトとともに前記連結部材が荷重を受ける扉開閉装置であって、
前記ケース体には、断面略Ｕ字状の基部の側面の両内壁面に第１案内溝がそれぞれ設けられるとともに、この第１案内溝に平行に第２案内溝がそれぞれ設けられ、また、前記調整プレート及び当該調整プレートに重ねて組み付けられる取付プレートを固定するための前記固定ボルトが螺着するネジ孔が設けられ、
前記調整プレートは、薄板状部とこの薄板状部の一方端に立設された垂直部及びこの垂直部の上端からこの薄板状部に平行に当該薄板状部上に張り出された張出部からなる折曲部とを有する部材で、この薄板状部の両側縁が前記ケース体の第１案内溝に緩挿され、前記折曲部の張出部に突設された舌片が前記ケース体の第２案内溝に緩挿される一方、前記折曲部の垂直部に設けられたスリット孔に前記取付プレートの板状部が挿入され、また、この薄板状部の両側縁寄りのところで、且つ、前記折曲部の張出部の直下に位置するところにそれぞれ設けられた第１挿通孔及びこれら第１挿通孔に対応して前記折曲部の張出部にそれぞれ設けられた第２挿通孔に、前記調整プレート及び取付プレートをこれら調整プレートと取付プレートとの間で前記調整移動が可能なように前記連結部材がそれぞれ取り付けられ、更に、この薄板状部の他方端寄りのところに設けられたネジ孔に前記調整ボルトが螺合する一方、このネジ孔を挟んで当該ネジ孔から等しく離隔して設けられた２つの第３挿通孔に前記固定ボルトがそれぞれ挿通し、
前記取付プレートは、略矩形状の前記板状部と、この板状部の一方端側を湾曲加工して形成された円筒状部とを有する部材で、当該板状部の他方端側に当該他方端に開口する態様で設けられた長溝に前記調整ボルトの首下が係止される突条受けが形成され、この取付プレートの板状部には、当該取付プレートを前記調整プレートのスリット孔に差し込んで当該調整プレートに重ねて組み付けたときに、この調整プレートの第１挿通孔及び第２挿通孔に対応して設けられた挿通孔に前記連結部材がそれぞれ緩挿される一方、この調整プレートの２つの第３挿通孔に対応して設けられた挿通孔に前記固定ボルトがそれぞれ緩挿されてなることを特徴とする扉開閉装置。
【発明の詳細な説明】
【技術分野】
【０００１】
本発明は、家具や建具等に設けられる扉体を開閉するための扉開閉装置に関するものである。
【背景技術】
【０００２】
扉開閉装置は、扉体を自在に、且つスムーズに開閉できるように、当該扉開閉装置の一方の係合部材が、例えば家具の固定部材に位置決めして配設され、また、他方の係合部材が、例えば家具の扉体に位置決めして配設される。そして、扉開閉装置には、扉体の開閉時に当該扉体が左方向又は右方向から荷重を受けても、また、固定部材に対する扉体の左右方向の調整に際して荷重を受けても、かかる荷重を支持できるようにしたものが従来からある（特許文献１）。
図９に示すように、特許文献１の扉開閉装置１００は、一方の係合部材１０１が固定部材１０２に位置決めして配設され、また、他方の係合部材である取付プレート１０３が扉体（図示せず）に位置決めして配設され、そして、この例では、係合部材１０１が取付本体１０４及び取付プレート１０５で、更に、取付本体１０４がケース体１０６及び調整プレート１０７で構成されている。このうちの調整プレート１０７には、同図に示すように、その一方の端部を折り曲げて折曲部１０７ａが設けられ、この折曲部１０７ａに取付プレート１０５を緩挿させるための矩形状孔１０７ｂが設けられており、これにより、取付プレート１０５が、例えば扉体に対して左方向又は右方向から荷重が加わり、この荷重を取付プレート１０３を介して受けても（同図中の矢印方向を左右方向と称する）、この荷重を調整プレート１０７の折曲部１０７ａで均等に分散して支持することができる。
また、調整プレート１０７の他方の端部に設けられたネジ穴１０７ｃに螺合させて調整ボルト１０８を進退させると、これに伴って取付プレート１０５は、折曲部１０７ａを支持点として左方向又は右方向に移動し、固定部材１０２に対する扉体の左右方向の調整が可能になるが、このような左右方向の調整に際して取付プレート１０５が取付プレート１０３からの左右方向からの荷重を受けても、上述のようにこの荷重を調整プレート１０７の折曲部１０７ａで均等に分散して支持できる。尚、１０９は、調整後、ケース体１０６に調整プレート１０７及び取付プレート１０５を固定するための固定ボルトである。
【０００３】
しかしながら、上述した扉開閉装置においては、取付プレートが左方向又は右方向からの荷重を受けた際に、この荷重を調整プレートの折曲部で均等に分散して支持できる利点があるが、かかる荷重を支持する部位は、調整プレートの折曲部であるため、大きな荷重には強度不足でヘタリや場合によっては圧壊が生じ十分な支持力を持たせることが難しかった。
【特許文献１】特開平１０−３３１５０９（第４，５頁、第３図）
【発明の開示】
【発明が解決しようとする課題】
【０００４】
解決しようとする問題点は、扉体の開閉時、或いは左右方向の調整時に大きな荷重を受けても当該荷重に対し十分な支持力を持たせることが可能な構造のものとする点である。
【課題を解決するための手段】
【０００５】
本発明の請求項１に係る扉開閉装置は、固定部材又は扉体のいずれか一方に配設される係合部材がケース体と調整プレートと取付本体とで構成され、前記調整プレートに対し取付プレートが当該取付プレートに係止される調整ボルトの、連結部材の軸心方向と同一方向への進退によって前記調整プレートに取り付けられる前記連結部材の軸心方向の中間部を支点として前記調整ボルトの進退方向と逆方向に調整移動可能で、調整時に及び調整後には固定ボルトとともに前記連結部材が荷重を受ける扉開閉装置であって、前記ケース体には、断面略Ｕ字状の基部の側面の両内壁面に第１案内溝がそれぞれ設けられるとともに、この第１案内溝に平行に第２案内溝がそれぞれ設けられ、また、前記調整プレート及び当該調整プレートに重ねて組み付けられる取付プレートを固定するための前記固定ボルトが螺着するネジ孔が設けられ、前記調整プレートは、薄板状部とこの薄板状部の一方端に立設された垂直部及びこの垂直部の上端からこの薄板状部に平行に当該薄板状部上に張り出された張出部からなる折曲部とを有する部材で、この薄板状部の両側縁が前記ケース体の第１案内溝に緩挿され、前記折曲部の張出部に突設された舌片が前記ケース体の第２案内溝に緩挿される一方、前記折曲部の垂直部に設けられたスリット孔に前記取付プレートの板状部が挿入され、また、この薄板状部の両側縁寄りのところで、且つ、前記折曲部の張出部の直下に位置するところにそれぞれ設けられた第１挿通孔及びこれら第１挿通孔に対応して前記折曲部の張出部にそれぞれ設けられた第２挿通孔に、前記調整プレート及び取付プレートをこれら調整プレートと取付プレートとの間で前記調整移動が可能なように前記連結部材がそれぞれ取り付けられ、更に、この薄板状部の他方端寄りのところに設けられたネジ孔に前記調整ボルトが螺合する一方、このネジ孔を挟んで当該ネジ孔から等しく離隔して設けられた２つの第３挿通孔に前記固定ボルトがそれぞれ挿通し、前記取付プレートは、略矩形状の前記板状部と、この板状部の一方端側を湾曲加工して形成された円筒状部とを有する部材で、当該板状部の他方端側に当該他方端に開口する態様で設けられた長溝に前記調整ボルトの首下が係止される突条受けが形成され、この取付プレートの板状部には、当該取付プレートを前記調整プレートのスリット孔に差し込んで当該調整プレートに重ねて組み付けたときに、この調整プレートの第１挿通孔及び第２挿通孔に対応して設けられた挿通孔に前記連結部材がそれぞれ緩挿される一方、この調整プレートの２つの第３挿通孔に対応して設けられた挿通孔に前記固定ボルトがそれぞれ緩挿されるようにしたものであり、これにより、本装置は、固定部材に対する扉体の左右方向の調整時に受ける荷重、及びかかる調整後には固定ボルトとともに受ける荷重を連結部材で支持するようにしているので、十分な支持力を持たせることが可能となる。
【０００６】
削除
【発明の効果】
【０００７】
本発明の扉開閉装置は、固定部材に対する扉体の左右方向の調整には連結部材で、また、扉体の開閉時に当該扉体に加わる大きな外力に対しては固定ボルトとともに連結部材で支持するようにしているので、十分な支持力を持たせることが可能となる利点がある。
【発明を実施するための最良の形態】
【０００８】
本発明の第１の実施の形態に係る扉開閉装置を図１〜４を参照して説明する。
本扉開閉装置１は、本実施の形態では、図１，２に示すように、家具の固定部材２に位置決めして配設される一方の係合部材３と、家具の扉体４に位置決めして配設される取付プレート（他方の係合部材）５とを備え、更に、これら係合部材３及び取付プレート５に付設される付設部材６を備えており、係合部材３と取付プレート５とはこの付設部材６を介して連設され、これらが協働することによって扉体４を自在開閉させることができる。そして、係合部材３は、本実施の形態では、ケース体８及び調整プレート９で構成される取付本体７と取付プレート１０とを備えている。
【０００９】
このうちケース体８は、断面略Ｕ字状の基部８ａと、この基部８ａの上部両端からそれぞれ延出したフランジ部８ｂと、これらフランジ部８ｂの一方側面側に突設された断面略Ｕ字状のガイド部８ｃとで構成されている。そして、基部８ａの底板には、当該ケース体８の中心線Ｘ−Ｘに沿って、上記ガイド部８ｃ寄りのところに小長円８ｄ１及びこの小長円８ｄ１に連通する態様で大長円８ｄ２が設けられ、また、小長円８ｄ１及び大長円８ｄ２に近接して上記ガイド部８ｃとは反対側のところにその一方端が開口する長溝８ｅが設けられている。かかる長溝８ｅは、後に詳述するように、固定部材２に対する扉体４の左右方向（図３中の矢印方向を、業界呼び名で左右方向と称する。以下同様）の調整に際し、調整ボルト１１との干渉防止のための逃げ溝である。ここで、左右方向とは、調整プレート９に対し取付プレート１０が当該取付プレート１０に係止される下記調整ボルト１１の、下記連結部材１３の軸心方向と同一方向への進退によって調整プレート９に取り付けられる連結部材１３の軸心方向の中間部を支点として調整ボルト１１の進退方向と逆方向に移動するときの固定部材２に対する扉体４の調整方向を指す。ところで、小長円８ｄ１は中心線Ｘ−Ｘ方向に長軸を有する一方、大長円８ｄ２は中心線Ｘ−Ｘとは垂直な方向に長軸を有する楕円状貫通孔であり、この大長円８ｄ２にカム本体１２ａが配設される。
また、基部８ａの底板には、小長円８ｄ１及び大長円８ｄ２の位置から両側に等距離隔てて挿通孔８ｆがそれぞれ穿設されており、これら挿通孔８ｆには、後に詳述する、本実施の形態では円筒状の鍔付き連結部材１３が挿通される。そして、各挿通孔８ｆの近傍には、上記左右方向の調整等が完了した後、調整プレート９及び取付プレート１０をケース体８に固定するための固定ボルト１４が螺着するネジ孔がそれぞれ螺刻されている。
【００１０】
また、基部８ａの側板の両内壁面に中心線Ｘ−Ｘ方向に沿う態様で案内溝８ｇ１がそれぞれ設けられ、また、各側板に連なるフランジ部８ｂの内端面のそれぞれには、案内溝（第１案内溝）８ｇ１に平行に、且つ、案内溝８ｇ１の溝長と略等しい案内溝（第２案内溝）８ｇ２が設けられている。これら案内溝８ｇ１，８ｇ２には、後述する調整プレート９の薄板状部９ａの両側縁、及び折曲部９ｂの舌片９ｂ４がそれぞれ緩挿される。尚、案内溝８ｇ２が設けられたフランジ部８ｂのガイド部８ｃ寄り上面には肉盛りが施されている（図４も参照）が、これは、この部位の強度を補強するためである。
また、ガイド部８ｃの底板８ｈは、固定部材２に対する扉体４の左右方向の調整に際しての取付プレート１０の左右方向の移動を考慮して、中心線Ｘ−Ｘ方向に沿う態様でテーパ加工が施されており、このテーパは当該ガイド部８ｃの開口口に向かって漸増して行くように形成されている（図３も参照）。
ところで、各フランジ部８ｂに設けられた貫通孔等は、ケース体８を固定部材２の凹部２ａに嵌合した後に、固定部材２に固着するための止めビス（図示せず）の挿通孔等である。
【００１１】
調整プレート９は、薄板状部９ａの一方端が断面略コ字状に折り曲げられて形成された折曲部９ｂ、即ち、薄板状部９ａに立設された垂直部及びこの垂直部の上端から当該薄板状部９ａに平行にこの薄板状部９ａ上に張り出された張出部からなる折曲部９ｂを有する部材で、当該調整プレート９の中心線Ｙ−Ｙに沿って、折曲部９ｂの張出部の直下に位置するところにカム操作部１２ｂの径小軸が嵌合される嵌合孔９ｃが、また、薄板状部９ａの他方端寄りのところに上記調整ボルト１１が螺合するネジ孔９ｄが設けられている。そして、薄板状部９ａには、中心線Ｙ−Ｙを隔てて両側端寄りのところで、折曲部９ｂの張出部の直下に位置するところに上記連結部材１３が緩挿される挿通孔（第１挿通孔）９ｅがそれぞれ設けられ、また、これら挿通孔９ｅから離隔して当該薄板状部９ａの他方端寄りのところに中心線Ｙ−Ｙ方向に長軸を有する長円（第３挿通孔）９ｆがそれぞれ設けられており、かかる長円９ｆは、固定ボルト１４の挿通孔であり、後に詳述するように、固定部材２に対する扉体４の前後方向（図２中の矢印方向を前後方向と称する。以下同様）の調整に際し当該固定ボルト１４との干渉を防止すべく楕円状に形成されている。
【００１２】
一方、折曲部９ｂの張出部には、上記嵌合孔９ｃに対応して上記カム操作部１２ｂの径大軸（十字溝が設けられているところ）のための切欠溝９ｂ１、即ち、径大軸に対する操作上の便宜のため及びこの径大軸との干渉防止のための切欠溝９ｂ１が、また、上記各挿通孔９ｅに対応して上記連結部材１３が緩挿される挿通孔（第２挿通孔）９ｂ２がそれぞれ設けられ、この折曲部９ｂの垂直部には、取付プレート１０の挿入孔であるスリット孔９ｂ３（図３参照）が設けられている。また、折曲部９ｂの張出部の両端には、当該端部から略Ｌ字状に折り曲げられた舌片９ｂ４が、薄板状部９ａの側縁から張り出す態様でそれぞれ突設されている（図４も参照）。これら薄板状部９ａの両側縁、及び折曲部９ｂの舌片９ｂ４は、上述のように案内溝８ｇ１，８ｇ２にそれぞれ緩挿され、調整プレート９が案内溝８ｇ１，８ｇ２に沿う態様で前後方向に移動する。
【００１３】
取付プレート１０は、略矩形状の板状部１０ａと、この板状部１０ａの一方端側を湾曲加工して形成された円筒状部１０ｂとからなり、板状部１０ａは、その長手方向の略中央位置を境にして、円筒状部１０ｂが形成されている側が幅広で、円筒状部１０ｂが形成されていない側が幅狭に形成されており、かかる板状部１０ａの幅狭部が上記スリット孔９ｂ３を通過可能になっている。そして、この板状部１０ａの幅狭部側には、当該取付プレート１０の中心線Ｚ−Ｚに沿って、当該板状部１０ａの他方端側に当該他方端に開口する態様で長溝１０ｃが、また、この長溝１０ｃに近接して上記カム操作部１２ｂの挿通孔１０ｄが設けられている。ところで、この長溝１０ｃには調整ボルト１１が挿入されるとともに、当該調整ボルト１１の首下がこの長溝１０ｃの内壁の下部に形成された突条受け１０ｃ１に係止されるようになっている（図３）。
更に、板状部１０ａの幅狭部には、中心線Ｚ−Ｚを隔てて適宜な位置で、当該板状部１０ａの他方端寄りのところに中心線Ｚ−Ｚ方向に長軸を有する長円１０ｅがそれぞれ設けられており、かかる長円１０ｅは、固定ボルト１４の挿通孔であり、上述した長円９ｆと同様に、固定部材２に対する扉体４の前後方向の調整に際し当該固定ボルト１４との干渉を防止すべく楕円状に形成されている。また、これら長円１０ｅの、当該板状部１０ａの他方端とは反対側に位置する近傍には上記連結部材１３が緩挿される挿通孔１０ｆがそれぞれ設けられている。
一方、取付プレート１０の円筒状部１０ｂは、後述するように、取付プレート５の円筒状部５ｂに、これら円筒状部１０ｂ及び円筒状部５ｂに付設される付設部材６を介して連設される。
【００１４】
次に、上述したケース体８、調整プレート９及び取付プレート１０で構成される係合部材３の組み付け方について説明する。固定部材２に固着されるケース体８に調整プレート９及び取付プレート１０を組み付ける場合は、調整ボルト１１を調整プレート９のネジ孔９ｄに螺合させてから、取付プレート１０を、調整プレート９のスリット孔９ｂ３に差し込んで当該調整プレート９に重ねる。このとき、取付プレート１０の挿通孔１０ｆの孔芯が調整プレート９の挿通孔９ｅ、挿通孔９ｂ２の孔芯と一致するように重ねるとともに、調整ボルト１１の首下を取付プレート１０の突条受け１０ｃ１に係止させる。このように重ねられた調整プレート９及び取付プレート１０をケース体８に組み付ける。即ち、ケース体８の案内溝８ｇ１，８ｇ２に調整プレート９の薄板状部９ａの両側縁、及び折曲部９ｂの舌片９ｂ４をそれぞれ緩挿させて組み付ける。この緩挿に際しては、ケース体８の挿通孔８ｆの孔芯と上記挿通孔１０ｆや挿通孔９ｅ、挿通孔９ｂ２の孔芯とが一致するように緩挿する。しかる後、鍔付き連結部材１３を挿通孔８ｆから挿入して挿通孔９ｂ２より突出した部位をカシメる。これにより、調整プレート９及び取付プレート１０のケース体８への組み付けが完了する。
上述したカシメによる連結に際しては、調整プレート９に対し取付プレート１０を左右方向に移動可能なように、例えばいくらかの遊びを持たせて当該調整プレート９と取付プレート１０と間を連結する。尚、連結完了後の連結部材１３の鍔部は、挿通孔９ｅの下部孔縁に形成されたテーパ溝に係合するようになるので、調整プレート９の前後方向の移動を害することはない（図４参照）。ところで、鍔付き連結部材１３の代わりに円筒状ピン部材を用いこれを挿通孔８ｆ等に挿入した後、当該ピン部材の両端をカシメるようにしてもよい。
また、カム操作部１２ｂについては、当該カム操作部１２ｂを挿通孔１０ｄから挿通するとともに、その径小軸を嵌合孔９ｃに嵌合し、この径小軸に垂下された下軸をカム本体１２ａの偏心孔に圧入する。尚、固定ボルト１４は、長円１０ｅ及び長円９ｆを挿通してケース体８のネジ孔に仮止め状態にして螺着されるようにする。
【００１５】
このような係合部材３を取付プレート５に付設部材６を介して連設する。即ち、取付プレート１０の円筒状部１０ｂを、取付プレート５の円筒状部５ｂに、当該円筒状部１０ｂ及び円筒状部５ｂに付設される付設部材６を介して連設する。
取付プレート５は板状部５ａと円筒状部５ｂとからなり、板状部５ａが扉体４にビスにより固着される一方、円筒状部５ｂには、図２に示すような付設部材６が配設される。即ち、円筒状部５ｂの上端部にブッシュ（付設部材）１５ａが圧入された下記軸棒１７の一部が緩嵌される一方、円筒状部５ｂの下端部にブッシュ（付設部材）１５ｂが圧入され、ブッシュ１５ａが圧入された軸棒１７の下端面とブッシュ１５ｂ間にスプリング（付設部材）１６が介装される一方、このスプリング１６に載置する態様にして上記軸棒（付設部材）１７が配設され、当該軸棒１７の残りの部分が円筒状部５ｂの上端から突出状態にして配設される。この場合、スプリング１６は軸棒１７を当該軸棒１７の突出方向に付勢している。このように軸棒１７等が配設された円筒状部５ｂに、取付プレート１０の円筒状部１０ｂを、軸受（付設部材）１８及びスリーブ（付設部材）１９を介して連設する。即ち、その下端に鍔１８ａを有する中空円筒状の上記軸受１８を、取付プレート１０の円筒状部１０ｂ内に挿入して当該円筒状部１０ｂ内の適宜位置に静止させる。このとき、軸受１８は、当該軸受１８の上端に突設された一対の弾性片１８ｂにより上記静止状態を保つ。そして、軸受１８の中空部内に軸棒１７の上記突出部を挿入するとともに、軸受１８を上下移動させつつ当該軸受１８の鍔１８ａを円筒状部５ｂの上端面に当接させ、しかる後、スリーブ１９を円筒状部１０ｂの上方から外挿して軸受１８の鍔１８ａに当接させ、係合部材３の取付プレート５への連設が完了する。
【００１６】
本扉開閉装置１において、取付プレート１０が受ける荷重の支持のしかたを図３を参照して説明する。
固定部材２に対する扉体４の左右方向の調整による移動に際しては、上述のようにして係合部材３を取付プレート５に連設した後、ドライバ等の操作具で調整ボルト１１を連結部材１３の軸心方向と同一方向の適宜な方向に進退させると、調整ボルト１１の進退に伴って取付プレート１０は、連結部材１３の、当該連結部材１３の軸心方向の中間部を支点として図３中の矢印方向に示すような調整ボルト１１の進退方向とは逆方向に移動する。この移動のときに、取付プレート１０は、取付プレート５から荷重を受けるが、かかる荷重を連結部材１３で支持するようにしているので、十分な支持力を持たせることが可能となる。尚、取付プレート１０を移動させて左右方向の調整が完了したら、固定ボルト１４により、調整プレート９及び取付プレート１０をケース体８に固定し、この後で、ケース体８を覆う態様で化粧カバー３０を当該ケース体８に装着する。
また、調整後の扉体４の開閉時に当該扉体４に加わる大きな荷重に対しては、かかる荷重が取付プレート５を介して取付プレート１０に伝達され、当該取付プレート１０が図３中の矢印方向に荷重を受けるが、かかる荷重を上述の固定ボルト１４とともに連結部材１３で支持するようにしているので、十分な支持力を持たせることが可能となる。
ところで、本扉開閉装置１における固定部材２に対する扉体４の前後方向の調整のしかたを簡単に説明すると、カム操作部１２ｂをドライバ等の操作具で適宜方向に回転させると、カム本体１２ａが偏心して回転するために、調整プレート９及び取付プレート１０は、ケース体８に対し前後方向に移動するので、上記前後方向の調整が可能になる。
【００１７】
次に、本発明の第２の実施の形態に係る扉開閉装置を図５〜８を参照して説明する。尚、同図において、図１〜４の構成部材と同一の部材には同一番号を付し、その説明は割愛する。
本扉開閉装置２０は、図５，６に示すように、家具の固定部材２に位置決めして配設される係合部材２１と、家具の扉体４に位置決めして配設される上記取付プレート５とを備え、更に、これら係合部材２１及び取付プレート５に付設される付設部材６を備えており、係合部材２１と取付プレート５とはこの付設部材６を介して連設され、これらが協働することによって扉体４を自在開閉させることができる。但し、本扉開閉装置２０が上記扉開閉装置１と異なるところは、係合部材２１が、取付本体をケース体２２のみとし、かかるケース体２２と取付プレート２３とで構成されている点である。
【００１８】
ケース体２２は、底板とこの底板の両側辺に立設された側板とにより断面略Ｕ字状をなす基部２２ａと、この基部２２ａの側板の一方端から中央よりやや他方端寄りのところの、当該側板の上部両端からそれぞれ延出したフランジ部２２ｂとで構成されている。そして、基部２２ａの底板には、当該ケース体２２の中心線Ｘ−Ｘに沿って、底板の略中央に小長円２２ｃ１及びこの小長円２２ｃ１に連通する態様で大長円２２ｃ２が設けられ、また、小長円２２ｃ１及び大長円２２ｃ２の位置に近接して底板の一方端（側板の一方端）よりのところにネジ孔２２ｄが設けられている。かかるネジ孔２２ｄには、後に詳述するように、固定部材２に対する扉体４の、下記連結部材２４の軸心廻り（図７中の矢印方向を軸心廻りと称するが、以下、業界呼び名で左右方向と称する）の調整に際し、調整ボルト１１が螺合する。ところで、小長円２２ｃ１は中心線Ｘ−Ｘ方向に長軸を有する一方、大長円２２ｃ２は中心線Ｘ−Ｘとは垂直な方向に長軸を有する楕円状貫通孔であり、この大長円２２ｃ２にカム本体１２ａが配設される。
また、基部２２ａの底板には、小長円２２ｃ１及び大長円２２ｃ２の位置から両側に等距離隔てて挿通孔２２ｅが穿設されており、これら挿通孔２２ｅには、後に詳述する、本実施の形態では円筒状の鍔付き連結部材２４が挿通される。かかる連結部材２４は、この鍔部の裏座面が、後述する取付プレート２３の湾曲部２３ｇに合わせた円弧状形態をなすとともに、その表面がフラットな平面をなしている。そして、各挿通孔２２ｅの近傍には、左右方向の調整等が完了した後、取付プレート２３をケース体２２に固定するための固定ボルト１４が螺着するネジ孔がそれぞれ螺刻されている。
ところで、各フランジ部２２ｂに設けられた貫通孔は、ケース体２２を固定部材２の凹部に嵌合した後に、固定部材２に固着するための止めビス（図示せず）の挿通孔である。
【００１９】
取付プレート２３は、略矩形状の板状部２３ａと、この板状部２３ａの一方端側を湾曲加工して形成された円筒状部２３ｂとからなっている。そして、この板状部２３ａの他方端寄りのところには、当該取付プレート２３の中心線Ｚ−Ｚに沿って、当該板状部２３ａの他方端側に当該他方端に開口する態様で長溝２３ｃが、また、この長溝２３ｃに近接してカム操作部１２ｂの径大軸が嵌合される嵌合孔２３ｄが設けられている。ところで、この長溝２３ｃには調整ボルト１１が挿入されるとともに、当該調整ボルト１１の首下がこの長溝２３ｃの内壁面の下部に形成された突条受け２３ｃ１に係止されるようになっている（図７）。
更に、板状部２３ａには、中心線Ｚ−Ｚを隔てて適宜な位置で、当該板状部２３ａの他方端寄りのところに中心線Ｚ−Ｚ方向に長軸を有する長円２３ｅがそれぞれ設けられており、かかる長円２３ｅは、固定ボルト１４の挿通孔であり、固定部材２に対する扉体４の前後方向の調整に際し当該固定ボルト１４との干渉を防止すべく楕円状に形成されている。また、これら長円２３ｅの、当該板状部２３ａの他方端とは反対側に位置する近傍には連結部材２４が緩挿される挿通孔２３ｆがそれぞれ設けられ、これら挿通孔２３ｆが穿設されている部位には、中心線Ｚ−Ｚに垂直で当該挿通孔２３ｆの中心軸を含む平面内に円弧中心を持つ湾曲部２３ｇが、取付プレート２３の、ケース体２２の底板に対向する面側に凸状をなす態様で部分的に形成されている。かかる湾曲部２３ｇは、上記左右方向の調整に際し、取付プレート２３の左右方向への移動を滑らかにできる効果がある（図７参照）。
一方、取付プレート２３の円筒状部２３ｂは、上述同様に、取付プレート５の円筒状部５ｂに、これら円筒状部２３ｂ及び円筒状部５ｂに付設される付設部材６を介して連設される。
【００２０】
ケース体２２と取付プレート２３とで構成される係合部材２１の組み付け方は、上記扉開閉装置１の係合部材３の場合と基本的には同一であり、ケース体２２に取付プレート２３を、ケース体２２の挿通孔２２ｅと取付プレート２３の挿通孔２３ｆとが連通するように重ね合わせ、しかる後、鍔付き連結部材２４を挿通孔２３ｆから挿入して挿通孔２２ｅより突出した部位をカシメる。ところで、かかるカシメによる連結に際しては、ケース体２２に対し取付プレート２３を左右方向に移動可能なように、例えばいくらかの遊びを持たせて当該ケース体２２と取付プレート２３と間を連結する。ところで、このような鍔付き連結部材２４の代わりに円筒状ピン部材を用いこれら挿通孔２３ｆ，２２ｅに挿入した後、当該ピン部材の両端をカシメるようにしてもよい。
【００２１】
このような係合部材２１においても係合部材３の場合と同様にして、調整ボルト１１については、これをケース体２２のネジ孔２２ｄに螺合させるとともに、当該調整ボルト１１の首下を取付プレート２３の突条受け２３ｃ１に係止させる。また、カム操作部１２ｂについては、その径大軸を嵌合孔２３ｄに嵌合させるとともに、その径小軸に垂下された下軸をカム本体１２ａの偏心孔に圧入する。尚、固定ボルト１４は、長円２３ｅを挿通してケース体２２のネジ孔に仮止め状態にして螺着されるようにする。
そして、係合部材２１を取付プレート５に付設部材６を介して、係合部材３の場合と全く同様にして連設する。
【００２２】
本扉開閉装置２０において、取付プレート２３が受ける荷重の支持のしかたを図７を参照して説明する。
上述のようにして係合部材２１を取付プレート５に連設した後、ドライバ等の操作具で調整ボルト１１を適宜方向に進退させると、調整ボルト１１の進退に伴って取付プレート２３は、連結部材２４の位置を支点として図７中の矢印方向に移動する。この移動のときに、取付プレート２３は、取付プレート５から荷重を受けるが、かかる荷重を連結部材２４で支持するようにしているので、本扉開閉装置２０においても十分な支持力を持たせることが可能となる。取付プレート２３を移動させて左右方向の調整を終えたところで、固定ボルト１４により、取付プレート２３をケース体２２に固定し、化粧カバー３０を当該ケース体２２に装着する。
また、調整後の扉体４の開閉時に当該扉体４に加わる大きな荷重に対しては、かかる荷重が取付プレート５を介して取付プレート２３に伝達され、当該取付プレート２３が図７中の矢印方向に荷重を受けるが、上述同様に、かかる荷重を連結部材２４で支持するようにしているので、十分な支持力を持たせることが可能となる。
ところで、本扉開閉装置２０における固定部材２に対する扉体４の前後方向の調整については、カム操作部１２ｂをドライバ等の操作具で適宜方向に回転させると、カム本体１２ａが偏心して回転するために、取付プレート２３は、ケース体２２の基部２２ａの底板上を前後方向に移動するので、上記前後方向の調整が可能になる。
【産業上の利用可能性】
【００２３】
本発明の扉開閉装置は、固定部材に対する扉体の左右方向の調整による移動に際して、または調整後の扉体の開閉時に当該扉体に加わる大きな外力によって、取付プレートが受ける荷重の支持のしかたを、従来に比し十分な支持力が得られるように変更したもので、扉開閉装置の強度を向上させる点で利用価値の高いものと言える。
【図面の簡単な説明】
【００２４】
【図１】第１の実施の形態に係る扉開閉装置の分解斜視図である。
【図２】図１の扉開閉装置の構成図である。
【図３】図２の一部断面を含むＡ矢視図である。
【図４】図２の一部断面を含むＢ矢視図である。
【図５】第２の実施の形態に係る扉開閉装置の分解斜視図である。
【図６】図５の扉開閉装置の構成図である。
【図７】図６の一部断面を含むＣ矢視図である。
【図８】図６の一部断面を含むＤ矢視図である。
【図９】従来の扉開閉装置おける動作説明図である。
【符号の説明】
【００２５】
１                    扉開閉装置
２                    固定部材
３                    係合部材
４                    扉体
７                    取付本体
８                    ケース体
８ｇ１                案内溝（第１案内溝）
８ｇ２                案内溝（第２案内溝）
９                    調整プレート
９ａ                  薄板状部
９ｂ                  折曲部
９ａ３                スリット孔
９ａ４                舌片
９ｂ２                挿通孔（第２挿通孔）
９ｄ                  ネジ孔
９ｅ                  挿通孔（第１挿通孔）
９ｆ                  長円（第３挿通孔）
１０                  取付プレート
１０ａ                板状部
１０ｂ                円筒状部
１０ｃ                長溝
１０ｃ１              突条受け
１０ｆ                挿通孔
１０ｅ                長円（挿通孔）
１３                  連結部材
１４                  固定ボルト
【図１】
2008157023.tif 000003
【図２】
2008157023.tif 000004
【図３】
2008157023.tif 000005
【図４】
2008157023.tif 000006
【図５】
2008157023.tif 000007
【図６】
2008157023.tif 000008
【図７】
2008157023.tif 000009
【図８】
2008157023.tif 000010
【図９】
2008157023.tif 000011